(57)【要約】【課題】気体の減圧・流量調整を行う調整弁からの騒音を効率よく低減する。【解決手段】吸音材９が内装されて内部に消音空間を形成する容器１に、多数の穴３を有する円筒状のディフューザー２を挿入し、ディフューザー２の上流から流入する気体を、調整弁１０により減圧調整し、ディフューザー２の穴３を介して容器１の消音空間に放出し、容器１から下流側へ流出させる消音減圧装置において、前記調整弁１０は、ディフューザー２にスリーブ状の弁体１１を内接又は外接させ、この弁体１１をディフューザー２の軸方向に駆動することで穴３を開閉し、気体を減圧調整するものとする。調整弁１０がディフューザー２と一体化され、容器１に収納されて吸音材９で包囲されるので、簡単な構造で省スペース化を図りつつ、騒音を低減することができる。【選択図】図１
2013174324.tif 000002
【特許請求の範囲】
【請求項１】
吸音材(9)が内装されて内部に消音空間を形成する容器(1)に、多数の穴(3)を有する円筒状のディフューザー(2)を挿入し、ディフューザー(2)の上流から流入する気体を、調整弁(10)により減圧調整し、ディフューザー(2)の穴(3)を介して容器(1)の消音空間に放出し、容器(1)から下流側へ流出させる消音減圧装置において、前記調整弁(10)は、ディフューザー(2)にスリーブ状の弁体(11)を内接又は外接させ、この弁体(11)をディフューザー(2)の軸方向に駆動することで穴(3)を開閉し、気体を減圧調整するものとしたことを特徴とする消音減圧装置。
【請求項２】
前記弁体(11)をディフューザー(2)に内接させた請求項１に記載の消音減圧装置において、ディフューザー(2)の外周に、穴(3)を有する部分を包囲するように吸音材(18)を固定したことを特徴とする消音減圧装置。
【発明の詳細な説明】
【技術分野】
【０００１】
この発明は、海水淡水化プラント、火力発電所、地熱発電所等において、発生した蒸気等の高圧気体を減圧・流量調整し、その際発生する騒音を低減する消音減圧装置に関するものである。
【背景技術】
【０００２】
例えば、蒸気を加熱源等として利用する際、蒸気供給源から供給される蒸気の圧力や流量と、蒸気を利用する機器が必要とする圧力や流量とに差異があれば、蒸気の流路において減圧し、また、流量調整をしなければならず、その際、高い騒音が発生するおそれがあるため、これを低減する必要もある。
【０００３】
このような気体の減圧・流量調整及び騒音の低減を行う装置として、下記特許文献１には、図３に示すように、上部が開放された容器５１の下部に、多数の穴５３を有する筒状のディフューザー５２を横向きに挿入し、容器５１の外部でディフューザー５２に調整弁５４を接続し、容器５１の内部に砕石５５を充填したものが記載されている。調整弁５４としては、一般的にバタフライ弁が使用される。
【０００４】
この装置のディフューザー５２には、注水パイプ５６が接続され、貯水槽５７に溜められた水をポンプＰの駆動により注水できるようになっている。
【０００５】
この装置では、調整弁５４を開いて蒸気をディフューザー５２に送ると、蒸気はディフューザー５２の穴５３から容器５１の内部に分散放出され、砕石５５で形成された複雑な通路でさらに分散されて、速度が大幅に減少し、蒸気の流れに伴う騒音が低減され、注水パイプ５６から注水すると、蒸気の膨張が抑制されて、騒音がさらに低減される。
【０００６】
また、下記特許文献２には、図４に示すように、容器５１の内部にグラスウール等の帯状の吸音材５８を縦向きに複数並べて配置することにより、その間に通路５９を形成し、容器５１の下部の周囲に砂層６０、ロックウール層６１及び鉛板６２を内側から外側へ順次設けて、調整弁５４の開放に伴いディフューザー５２の穴５３から放出された蒸気による騒音を低減するものが記載されている。
【先行技術文献】
【特許文献】
【０００７】
【特許文献１】特開昭６２−２３７０１９号公報
【特許文献２】特公平６−６３４４６号公報
【発明の概要】
【発明が解決しようとする課題】
【０００８】
しかしながら、上記消音減圧装置では、ディフューザー５２の穴５３から放出される蒸気による騒音は低減されるが、調整弁５４からも大きな騒音が発生し、調整弁５４を別途吸音材で覆う等の対策を施さなければ、この騒音を低減できないという問題がある。
【０００９】
そこで、この発明は、気体の減圧・流量調整を行う調整弁からの騒音を効率よく低減できるようにすることを課題とする。
【課題を解決するための手段】
【００１０】
上記課題を解決するため、この発明は、吸音材が内装されて内部に消音空間を形成する容器に、多数の穴を有する円筒状のディフューザーを挿入し、ディフューザーの上流から流入する気体を、調整弁により減圧調整し、ディフューザーの穴を介して容器の消音空間に放出し、容器から下流側へ流出させる消音減圧装置において、前記調整弁は、ディフューザーにスリーブ状の弁体を内接又は外接させ、この弁体をディフューザーの軸方向に駆動することで穴を開閉し、気体を減圧調整するものとしたのである。
【００１１】
また、前記弁体をディフューザーに内接させた消音減圧装置において、ディフューザーの外周に、穴を有する部分を包囲するように吸音材を固定したのである。
【発明の効果】
【００１２】
この発明に係る消音減圧装置では、調整弁がディフューザーと一体化され、容器に収納されて吸音材で包囲されるので、調整弁をディフューザーとは別の吸音材で覆ったりする必要がなく、簡単な構造で省スペース化を図りつつ、騒音を低減することができる。
【図面の簡単な説明】
【００１３】
【図１】この発明の第１実施形態に係る消音減圧装置を示す概略断面図
【図２】同上の第２実施形態に係る消音減圧装置を示す概略断面図
【図３】特許文献１に記載の消音減圧装置を示す概略断面図
【図４】特許文献２に記載の消音減圧装置を示す概略断面図
【発明を実施するための形態】
【００１４】
以下、この発明の実施形態を添付図面に基づいて説明する。
【００１５】
図１に示す第１実施形態において、円筒状の周壁、底壁及び天壁から構成される鋼製の容器１には、円筒状のディフューザー２が縦向きに挿入され、ディフューザー２の周壁の中間部から下方には、多数の穴３が設けられている。
【００１６】
ディフューザー２の上方には、容器１の天壁を貫通してＬ字状に湾曲する配管４が接続され、ディフューザー２の下方には、容器１の底壁に至る配管５が接続されている。
【００１７】
容器１の周壁には、流出口６が設けられ、容器１の底壁には、配管５が達する部分の内側に細い配管７を介してドレーン弁８が接続されている。
【００１８】
容器１の周壁、底壁及び天壁の内面には、配管４の貫通部、配管５の接合部及び流出口６の部分を除いて、セラミック等の遮音性の高い吸音材９が固定され、容器１の内部に消音空間が形成されている。
【００１９】
ディフューザー２には、これと共に調整弁１０を構成する部材として、少なくとも外周が円筒面とされたスリーブ状の弁体１１が上下方向にスライド自在に内接している。弁体１１の内周は、任意の形状でよいが、この例では、円筒面とされている。弁体１１の外周には、ディフューザー２の内周との間をシールするパッキンが設けられている。
【００２０】
弁体１１の上端部には、流路を妨げないように中心部と放射状の梁部とを除いて開口した保持部材１２が設けられ、その中心部に弁棒１３の下端部が取り付けられている。
【００２１】
弁棒１３は、ディフューザー２及び配管４の内部を上方へ延び、ブッシュ１４，１５により上下方向にスライド自在に支持され、配管４の分岐部を介してハンドルを有するアクチュエーター１６に達している。
【００２２】
ディフューザー２の下部内面には、弁体１１の下端を受け止めるストッパ１７が突設され、これにより、弁体１１のスライド範囲の下限が規定されている。
【００２３】
ディフューザー２の外周には、穴３を有する部分を包囲するように、吸音材１８が固定されている。吸音材１８としては、金属製の綿材やグラスウール等、通気性を有するものが使用される。
【００２４】
このような消音減圧装置を各種プラント等の蒸気を利用する設備に使用した場合、弁体１１が下降して穴３を塞いでいる状態では、配管４を介してディフューザー２に流入する蒸気が容器１の内部の消音空間に放出されることはなく、流出口６からの蒸気の流出は停止した状態となる。
【００２５】
一方、弁体１１が上昇して穴３が開放されると、蒸気がディフューザー２から穴３を介して容器１の消音空間に放出され、容器１から流出口６を介して下流側へ流出する。この流出量は、アクチュエーター１６の操作に伴い、弁体１１を任意の位置まで昇降させ、開放される穴３の個数を変化させることにより調整できる。
【００２６】
そして、蒸気が穴３を通過する際に発生する騒音は、ディフューザー２の外周の吸音材１８と、容器１に内装された吸音材９とで吸収される。
【００２７】
このように、上記消音減圧装置では、騒音発生源であるディフューザー２の穴３を有する部分が弁体１１と共に調整弁１０を構成し、これが吸音材１８で包囲され、吸音材９で囲まれた消音空間に収納されているので、高い消音効果が期待でき、ディフューザー２と調整弁１０とが吸音材９，１８を兼用するので、省スペース化を図ることもできる。
【００２８】
なお、上記第１実施形態では、弁体１１がディフューザー２に内接するものを例示したが、図２に横向き状態で示す第２実施形態のように、少なくとも内周が円筒面となった弁体１１をディフューザー２に外接させてもよい。
【００２９】
この場合、弁体１１の外周の張出部に螺合する弁棒１９を、容器１に取り付けたサーボモーター２０で回転させることにより、弁体１１をディフューザー２の軸方向に駆動するようにするとよい。
【００３０】
また、この場合、図２に示すように、上流側の配管４と流出口６とを一直線上に配置することもできる。
【００３１】
なお、この発明に係る消音減圧装置は、プラント等から蒸気等の気体を大気中に排出する配管に採用することもできる。この場合には、大気中に発せられる騒音が特に問題となるため、この消音減圧装置の効果がさらに発揮される。
【符号の説明】
【００３２】
１  容器
２  ディフューザー
３  穴
４，５  配管
６  流出口
７  配管
８  ドレーン弁
９  吸音材
１０  調整弁
１１  弁体
１２  保持部材
１３  弁棒
１４，１５  ブッシュ
１６  アクチュエーター
１７  ストッパ
１８  吸音材
１９  弁棒
２０  サーボモーター
【図１】
2013174324.tif 000003
【図２】
2013174324.tif 000004
【図３】
2013174324.tif 000005
【図４】
2013174324.tif 000006